(57)【要約】【課題】この発明は、古新聞紙、古雑誌等、紙製品の結束の際、簡単かつ確実強固に結束することが出来、更に、再生処理に於いても作業性に優れた結束具。【解決手段】２本の紙紐と硬質の厚紙製ストッパーを組み合わせて、紙紐と厚紙製ストッパーとの摩擦抵抗によって紐の滑りを防止し梱包物をより確実に結束すると共に、結束具が全て紙製であることで、再生処理が可能となり、其のまま資源ごみとして、リサイクル可能である。  【選択図】  図１
2005280752.tif 000002
【特許請求の範囲】
【請求項１】
２本の紙紐と硬質の厚紙製のストッパーを組み合わせて、古新聞、古雑誌及び、紙製の梱包物に、前記、２本の紙紐を巻きめぐらし紙紐の両端を締め付けて、結束するための結束具であり、前記、ストッパーが、外接円の直径４０ｍｍ〜１２０ｍｍ、内接円の直径５ｍｍ〜３０ｍｍ、厚さ２ｍｍ〜１０ｍｍの厚紙で、内周より外周に向かって、放射状に90度ごとに、長さ５ｍｍ〜１５ｍｍの切れ目４箇所を構成し、外周には、内周に構成した切れ目の延長線の両側に、1０度〜４0度の方向に、中心に向かって、切れ目を、８箇所構成し、前記２本の紐の両端、計４本を夫々、内周１箇所、外周２箇所の切れ目に挿入し、切れ目と紙紐の摩擦抵抗によって紙紐の滑りを防止し、梱包物をより確実に、結束することのできることを特徴とする結束具。
【請求項２】
２本の紐と前記、硬質の厚紙製のストッパーを組み合わせて、紐と、前記、厚紙製のストッパーとの摩擦抵抗によって紐の滑りを防止し梱包物等をより確実に結束することの出来ることを特徴とする結束方法。
【発明の詳細な説明】
【技術分野】
【０００１】
本発明は古新聞、古雑誌等の紙類及び、紙製の梱包物等を、結束紐で簡単に結んで整理、処理することのできる紐整理具、ないし結束具に関するものである。
【背景技術】
【０００２】
従来、古新聞紙、古雑誌類を整理処分する場合、ナイロンやポリプロピレンの結束紐を使用して十文字に結束しているが、結束紐に充分な張力を与えた状態で結束する方法は、難しく、紐が緩んだ状態で結束されているのが現状である、特に、新聞紙のように、束にすると、崩れやすいものを結束する場合には、結束紐を四方に掛け回すが、その際、結束紐の張力が緩んで、確実に結束できず、結束作業には、時間がかかっていて、女性、子供にとっては、大変な作業である。
【０００３】
ポリプロピレン製の荷造り用テープにて古新聞等を結束する際に簡単確実強固に結束することのできる結束具も提示されているが、樹脂成形品であるため、価格面、また、
再生処理の面で、問題がある。
（特許文献１参照）
【０００４】
又、古新聞紙や古雑誌類を十文字に結束するのに紐が緩まず抗張力のまま固定したり紐を緩めて戻したりが、結束中の紐の引っ張りを僅かに変えるだけで操作できる合成樹脂製の結束具も提示されているが、これも材料はポリポロピレン、ナイロン、ポリエステル、ABS樹脂などの合成樹脂せいの一体成形品で、再生処理に問題がある。
（特許文献２参照）
【０００５】
結束の結び目を形成しない結束方法も提示されているが、これらも合成樹脂による成形品を必要とする。
（特許文献３参照）
近年、古新聞紙、古雑誌等の紙製品は、再生回収の傾向にあるが、これらの結束、梱包には、従来から、ビニールテープ等、合成樹脂製のテープ、結束具が使用されている、
その為、再生処理の際には、これらの結束具、テープなどは、選別回収しなければならず、処理作業に時間を必要としている。
【特許文献１】特開２００３−１１２７６７号公報
【特許文献２】特開平１１−１１４４３号公報
【特許文献３】実開平０６−２７６１４号公報
【発明の開示】
【発明が解決しようとする課題】
【０００６】
解決しようとする問題点は、従来の結束方法では、結束具の材料として、紐はナイロン、ポリプロピレンが主で、結束具、ストッパー等は、樹脂成形品が殆どである。
ナイロン紐等は、滑りが良い為に、結束した結び目が緩むことが有り、確実な結束は得られていないのが、現状である。樹脂成形品のストッパーを使用すれば、この点は解決するが、部品の購入に費用が、かかり、結束の為には、結束機などの装置を必要とし一般家庭では、採用できない、更に、結束された、古新聞、古雑誌等を再生する際、また、焼却する際には、その結束の紐、結束具を、取り外さなければならないという、追加の作業が発生する点であり、結束したままの状態で、再生処理が出来ない点である。
【課題を解決するための手段】
【０００７】
本発明は、結束具全体が紙製から構成されており、２本の紙紐と硬質の厚紙製のストッパーを用いて、古新聞、古雑誌及び紙製の梱包物に前記２本の紙紐を巻きめぐらし紙紐の両端を締め付けて、結束する、ストッパーは外形円の直径４０ｍｍ〜１２０ｍｍ、内接円の直径５ｍｍ〜３０ｍｍ、厚さ２ｍｍ〜１０ｍｍの厚紙で，内周より外周に向かって、放射状に９０度毎に、長さ５ｍｍ〜１５ｍｍの切れ目４箇所を構成し、外周には、内周に構成した切れ目の延長線の両側に、１０度〜４０度の方向に、中心に向かって、切れ目を、８箇所構成し、前記２本の紙紐の両端、計４本を夫々、内周１箇所、外周２箇所の切れ目に挿入し、切れ目と紙紐との摩擦抵抗によって紙紐の滑りを防止し、梱包物をより確実に、結束することができることを特徴とする請求項１記載の結束具によって、問題を解決することが出来る。
【０００８】
又、再生処理を考慮しなくてもよい梱包物の場合、紙紐に代えて、麻、綿等の紐を使用し厚紙製ストッパーとの組み合わせで、強固に梱包物を結束することも出来る、請求項２記載の結束方法。
【発明の効果】
【０００９】
本発明の結束具は、紙紐、ストッパー、全て紙によって構成されているので、梱包物は全て紙として再生処理が可能となり、そのまま資源ごみとしてリサイクル可能であり環境負荷を低減する効果も期待できる。
結束に関しても、従来の方法のように、樹脂製のストッパーなど必要としないで、安価で、その上、結束時に強力な力をも必要とせず、女性、子供でも簡単に結束が可能である。  
【発明の実施の形態】
【００１０】
図１は、本発明の結束具を使用して古新聞紙を結束した斜視図であって、Bは古新聞紙、Rは紙紐、Eは厚紙製のストッパーである。
紙紐R１、R2は、夫々のほぼ中央で十文字に結ばれていて結び目は、積層した古新聞の底部に位置している。
【００１１】
図２が本発明の要となる厚紙製のストッパーEであって、中心部に、１ａ，２ａ、３ａ、４ａ、の切れ目、外周には、１ｂ、２ｂ、３ｂ、４ｂ、及び、１ｃ、２ｃ、３ｃ、４ｃ、の切れ目が、夫々配置されている。
図３はＡ−Ａ，図４はＢ−Ｂの断面図で、紙紐が切れ目に支障なく、滑り込むように変形させている。切れ目の形態は図５のＤ−Ｄの断面図に示されるように、摩擦抵抗が増すように、斜めに切り込まれている。
切れ目の幅は、狭いところは、１ｍｍ〜１．５ｍｍで、紙紐Ｒの太さに応じて、設置されて、紙紐がきつく挿入されてから緩むことの無いよに、切り込まれている、現在では、紙紐の太さとしては、直径２ｍｍ、と３ｍｍｍのものを、使用している。
紙紐の太さと、切れ目に幅は、梱包物の荷重によって、変えることが出来る。
【００１２】
次に図面を参照して本発明の使用方法を説明する。
まず、紙紐Rの動きについて、図６から図８まで順を追って、説明する。
図６に示すように、梱包物の底部から梱包物上面に引っ張り上げた紙紐R１を、厚紙製ストッパーEの下部を通して、中心部に構成されている切れ目１ａに挿入後、厚紙製ストッパーEの上部に沿って、外周方向に引っ張る、
【００１３】
次に、図７に示す如く、外周方向に、引っ張った紙紐R1を外周に作られた切れ目１ｂ、に滑り込ませて強く引っ張る。
【００１４】
図８では、切れ目１ｂに滑り込ませた紙紐R1を、厚紙製ストッパーEの下部を通して切れ目、１ｃに滑り込ませる状態を示している。
【実施例１】
【００１５】
ここで、実際に、古新聞紙を本発明の結束具を使用して結束する順を説明する。
まず２本の紙紐を夫々の略、中央で結び、十文字に広げる、結び目が積み重ねた古新聞紙の底部の中央に位置するよう置き、積み重ねた古新聞紙の上面、中央に、本発明の厚紙製ストッパーEを置く。
【００１６】
梱包体の底部、４方向から梱包体上面に引っ張り上げた４本の紙紐R1,R2,R3,R4,
を、中央に置いた厚紙製ストッパーの中央の穴に通す。まず紙紐R1を内接円に９０度の間隔で構成されている切れ目、４箇所のうち、１ａに滑り込ませて、紙紐R3を３ａ、に滑り込ませる、充分に滑り込んでいることを確認して後、図９に示すように、紙紐R1、R3を、夫々、外周方向に引っ張る、その後R1は、切れ目１b，１ｃ、にも滑り込ませ、R3は、切れ目、３b、３c、に滑り込ませることで、締め付けは完成する、組み合わせで、対向させて紙紐を引き合うようことで、梱包物を結束することができる。
【００１７】
同様に、図１０に示すように、紙紐R1,R３と直交するR2,R4も切れ目２a、切れ目４aに滑り込ませた後、切れ目２ｂ、２ｃ、切れ目４ｂ、４ｃに引っ張りながら、滑り込ませる。
１ｃを通り抜けたR1、３ｃを通り抜けた、のもう一方の端R3とは、ここで、外周方向に、強く引き合うことが重要である。この時点で夫々の、紙紐は厚紙製ストッパーの１２箇所の切れ目に於いて、紙紐と切れ目の摩擦抵抗によって強固に固定されることになる。
【００１８】
次に、紙紐R２のもう一方の端も、同様に切れ目２ａ、２ｂ、２ｃ、の順に、滑り込ませて、後、引き上げて、締め付けることで、梱包物は、厚紙製ストッパーに、構成されている、１２箇所の切れ目と、梱包物の底部より梱包物上面に４方向から引き上げられた紙紐R1,R2、夫々によって、堅固に結束される。
【００１９】
その後、紙紐R1、R2の夫々の端は互いに結ぶことで、より確実な結束となる。
【図面の簡単な説明】
【００２０】
【図１】本発明の実施例の斜視図である。
【図２】本発明の厚紙製ストッパーである。
【図３】本発明の厚紙製ストッパーのＡ−Ａ断面図である。
【図４】本発明の厚紙製ストッパーのＢ−Ｂ断面図である。
【図５】本発明の厚紙製ストッパーのＤ−Ｄ断面図である。
【図６】本発明に使用する紙紐の動きで切れ目１ａに挿入した図
【図７】本発明に使用する紙紐の動きで切れ目１bに挿入した図
【図８】本発明に使用する紙紐の動きで切れ目１cに挿入した図
【図９】本発明の厚紙製ストッパーに１本の紙紐を結束した図
【図１０】本発明の厚紙製ストッパーに２本の紙紐を結束した図
【符号の説明】
【００２１】
１a        内周に構成された切れ目
１b        外周に構成された切れ目
１c        外周に構成された切れ目
E          厚紙製ストッパー
B          梱包物
Ｒ          紙紐
【図１】
2005280752.tif 000003
【図２】
2005280752.tif 000004
【図３】
2005280752.tif 000005
【図４】
2005280752.tif 000006
【図５】
2005280752.tif 000007
【図６】
2005280752.tif 000008
【図７】
2005280752.tif 000009
【図８】
2005280752.tif 000010
【図９】
2005280752.tif 000011
【図１０】
2005280752.tif 000012